(57)【要約】【課題】水密材の耐久性を向上させ、かつ水密材を係止片やビスに依存することなく圧接させて点検口蓋の脱着時間の短縮化を図ることができるエプロン構造を提供する。【解決手段】浴槽のエプロン４に設けられた点検口４１と、点検口４１を塞ぐ点検口蓋４２とを備えたエプロン構造として、点検口４１の周縁に点検口蓋４２側へ突出するエプロン側突起部材４１１を設けるとともに、点検口蓋４２の周縁に点検口４１側へ突出する蓋側突起部材４２３を設ける。エプロン側突起部材４１１に、蓋側突起部材４２３に対し周方向全域でシールする水密材４４を取り付ける。そして、水密材４４に、点検口蓋４２により点検口４１を塞いだ際に両突起部材４１１，４２３の間で弾性変形して蓋側突起部材４２３に対し圧接する圧接部分４４３を設けている。【選択図】図５
2012223319.tif 000002
【特許請求の範囲】
【請求項１】
浴槽のエプロンに設けられた点検口と、この点検口を塞ぐ点検口蓋とを備えたエプロン構造であって、
前記点検口の周縁には前記点検口蓋側へ突出する突起部材が設けられているとともに、前記点検口蓋の周縁には前記点検口側へ突出する突起部材が設けられ、前記両突起部材のいずれか一方には、他方に対し周方向全域でシールする水密材が取り付けられており、
前記水密材は、前記点検口蓋により前記点検口を塞いだ際に両突起部材の間で弾性変形して前記両突起部材の他方に対し圧接する圧接部分を備えていることを特徴とするエプロン構造。
【請求項２】
前記圧接部分が、断面中空形状の弾性体又は発泡材により成形されている請求項１に記載のエプロン構造。
【請求項３】
前記圧接部分には、前記点検口蓋により前記点検口を塞ぐ際に前記両突起部材の他方を滑らせて案内する傾斜面が形成されている請求項１又は請求項２に記載のエプロン構造。
【請求項４】
前記圧接部分よりも水の浸入経路上流側に対応する前記水密材の対応部位には、前記圧接部分に対する水の勢いを緩和させる緩和部が設けられている請求項１〜請求項３のいずれか１つに記載のエプロン構造。
【請求項５】
前記点検口及び前記点検口蓋のいずれか一方には、前記点検口蓋により前記点検口を塞ぐ際に前記点検口蓋の一側縁を当該点検口蓋の取り外し方向へ移動不能に係止する係止手段が設けられている請求項１〜請求項４のいずれか１つに記載のエプロン構造。
【請求項６】
前記点検口蓋の他側縁は、前記点検口の他側縁に対しビスにより固定されており、
前記点検口の他側縁には、前記ビスを前記点検口蓋の装着方向から遮蔽するカバー部材が取り付けられている請求項５に記載のエプロン構造。
【発明の詳細な説明】
【技術分野】
【０００１】
本発明は、浴槽を洗い場から覆うエプロンの構造に関する。
【背景技術】
【０００２】
一般に、浴室においては、互いに隣接する浴槽及び洗い場と、前記浴槽の上縁より外側に張り出す水切りと前記洗い場の床との間を塞ぐエプロンとを備えている。
【０００３】
前記エプロンの構造としては、例えば特許文献１に示すように、エプロン内部の配管等の保守点検を行うための点検口と、この点検口を塞ぐ点検口蓋とを備えている。この点検口蓋は、内蓋と外蓋とを有し、内蓋を点検口の周囲にビスにより固定して当該点検口を塞ぐとともに、外蓋を内蓋外面の上端及び下端にそれぞれ設けられた係止具に対し上方から係止させることによって、内蓋のビスを隠して意匠性に優れた構成としている。また、点検口の周囲には水密材が設けられ、この水密材は、内蓋をビスで固定した際に点検口の周囲と内蓋との間で圧接されて、点検口への水の浸入を防止している。
【０００４】
また、その他のエプロン構造としては、点検口の上縁に横長の係止片をビスにより固定し、この係止片に点検口蓋の上端を上方から係止するとともに、点検口蓋の下端を点検口の下縁にビスにより固定し、点検口蓋の下縁に取り付けられる横長のキャップによって当該下縁のビスを隠すようにしたものもある（特許文献２参照）。そして、点検口の周囲には水密材が設けられ、この水密材は、点検口蓋を係止片に係止した状態でビスにより固定した際に点検口の周縁と点検口蓋の周縁との間で圧接されて、点検口への水の浸入を防止している。
【先行技術文献】
【特許文献】
【０００５】
【特許文献１】特開平９−５６６２３号公報
【特許文献２】特開２０００−５０８７号公報
【発明の概要】
【発明が解決しようとする課題】
【０００６】
ところが、前記従来のものでは、いずれにおいても、水密材が点検口の周縁と蓋（点検口蓋又は内蓋）の周縁との間で圧接されているため、点検口の周縁を伝う水に水密材の圧接部分が常に晒されて傷み易いものとなり、圧接部分の耐久性が著しく低下する恐れがある。
しかも、圧接部分を圧接させる上で、圧接部分を点検口の周縁と蓋（点検口蓋又は内蓋）の周縁との間で係止片や多数のビスによって圧接しなければならない。このため、係止片や多数のビスが不可欠なものとなり、係止片や多数のビスにより部品点数が嵩み、点検口蓋の脱着に時間を要してしまう。
【０００７】
本発明は、かかる点に鑑みてなされたものであり、その目的とするところは、水密材の圧接部分の耐久性を向上させることができるとともに、圧接部分を係止片やビスに依存することなく圧接させて点検口蓋の脱着時間の短縮化を図ることができるエプロン構造を提供することにある。
【課題を解決するための手段】
【０００８】
前記目的を達成するため、本発明では、浴槽のエプロンに設けられた点検口と、この点検口を塞ぐ点検口蓋とを備えたエプロン構造を前提とする。更に、前記点検口の周縁に前記点検口蓋側へ突出する突起部材を設けるとともに、前記点検口蓋の周縁に前記点検口側へ突出する突起部材を設け、前記両突起部材のいずれか一方に、他方に対し周方向全域でシールする水密材を取り付けている。そして、前記水密材に、前記点検口蓋により前記点検口を塞いだ際に両突起部材の間で弾性変形して前記両突起部材の他方に対し圧接する圧接部分を設けている。
この特定事項により、水密材は、点検口の周縁より点検口蓋側へ突出する突起部材及び点検口蓋の周縁より点検口側へ突出する突起部材のいずれか一方に設けられ、点検口蓋により点検口を塞いだ際に両突起部材の間で圧接部分が弾性変形して両突起部材の他方に対し圧接されるので、水密材の圧接部分が点検口の周囲から離間し、この圧接部分が点検口の周囲を伝う水に常に晒されることがない。このため、水密材の圧接部分が傷み難いものとなり、圧接部分の耐久性を向上させることが可能となる。
しかも、点検口蓋により点検口を塞いだ際に両突起部材の間で圧接部分が圧接されることから、圧接部分を圧接する上で係止片やビスに依存する必要がない。これにより、係止片やビスが不要となって部品点数が削減され、点検口蓋の脱着時間の短縮化を図ることが可能となる。
【０００９】
また、前記圧接部分を、断面中空形状の弾性体又は発泡材により成形することが好ましい。
この場合には、水密材の圧接部分は、点検口蓋により点検口を塞いだ際に両突起部材の間で弾性変形し易いものとなり、両突起部材の間での水密性を向上させることができる。
【００１０】
また、前記圧接部分に、前記点検口蓋により前記点検口を塞ぐ際に前記両突起部材の他方を滑らせて案内する傾斜面を形成することが好ましい。
この場合には、点検口蓋により点検口を塞ぐ際に両突起部材の一方に設けた水密材の圧接部分に対して両突起部材の他方が傾斜面により滑って案内されるので、点検口蓋により点検口を塞ぐ際に圧接部分の形状が前記両突起部材の他方との間で歪な形状に変形してしまうことがない。これにより、両突起部材の間での圧接部分による水密性を円滑に向上させることができる。
【００１１】
また、前記圧接部分よりも水の浸入経路上流側に対応する前記水密材の対応部位に、前記圧接部分に対する水の勢いを緩和させる緩和部を設けることが好ましい。
この場合には、緩和部により水の勢いが緩和された状態で水密材の圧接部分によって点検口への水の浸入が阻止される。これにより、圧接部分が水に晒されることが大幅に軽減されて水密材の耐久性をさらに向上させることができる上、圧接部分による水密性をさらに向上させることができる。
【００１２】
また、前記点検口及び前記点検口蓋のいずれか一方に、前記点検口蓋により前記点検口を塞ぐ際に前記点検口蓋の一側縁を当該点検口蓋の取り外し方向へ移動不能に係止する係止手段を設けることが好ましい。
この場合には、点検口蓋の一側縁は、点検口を塞ぐ際に係止手段によって点検口蓋の取り外し方向へ移動不能に係止されるので、点検口蓋の一側縁をビスによって固定する必要がなく、点検口蓋の他側縁をビスによって固定すればよい。これにより、点検口蓋の周縁を固定するビスが少なくて済み、部品点数をさらに削減して点検口蓋の脱着に要する時間をより短縮することができる。
【００１３】
更に、前記点検口蓋の他側縁を、前記点検口の他側縁に対しビスにより固定するとともに、前記点検口の他側縁に、前記ビスを前記点検口蓋の装着方向から遮蔽するカバー部材を取り付けることが好ましい。
この場合には、点検口蓋の他側縁を固定するビスのみをカバー部材によって遮蔽すればよく、最小限のカバー部材によってエプロンの意匠性を図ることができる。
【発明の効果】
【００１４】
点検口周縁の突起部材及び点検口蓋周縁の突起部材のいずれか一方に設けた水密材に、点検口蓋により点検口を塞いだ際に両突起部材の間で弾性変形して両突起部材の他方に対し圧接する圧接部分を設けることで、水密材の圧接部分を常に水に晒さずに傷み難いものにして圧接部分の耐久性を向上させることができる上、圧接部分を係止片やビスに依存することなく圧接させて部品点数の削減による点検口蓋の脱着時間の短縮化を図ることができる。
【図面の簡単な説明】
【００１５】
【図１】本発明の実施の形態に係るエプロン構造を用いた浴槽付近を洗い場側から見た浴室の斜視図である。
【図２】図１のエプロンから左右の点検口蓋及びビスカバーを取り外した状態でエプロンを洗い場側から見た正面図である。
【図３】図２のエプロンを浴槽側から見た背面図である。
【図４】図２のエプロンに左右の点検口蓋及びビスカバーを取り付けた状態のエプロンの正面図である。
【図５】左側の点検口蓋付近で切断したエプロンの縦断側面図である。
【図６】図４の左側の点検口蓋を浴槽側から見た背面図である。
【図７】図５のエプロンの点検口の上縁付近での拡大断面図である。
【図８】図７のエプロンの点検口から点検口蓋を取り外した状態の拡大断面図である。
【図９】左側の点検口蓋の左端付近を上端部寄りで切断したエプロンの横断平面図である。
【図１０】左側の点検口蓋の左端付近を上下のほぼ中央部寄りで切断したエプロンの横断平面図である。
【図１１】左側の点検口蓋を洗い場側から見た斜視図である。
【図１２】左側の点検口蓋の他側端付近で切断したエプロンの斜視図である。
【図１３】ビスカバーを浴槽側から見た斜視図である。
【発明を実施するための形態】
【００１６】
以下、添付図面を参照しながら、本発明の実施の形態について説明し、本発明の理解に供する。なお、以下の実施の形態は、本発明を具体化した一例であって、本発明の技術的範囲を限定する性格のものではない。
【００１７】
図１は本発明の実施の形態に係るエプロン構造を用いた浴槽付近を洗い場側から見た浴室を示し、この浴室１は、平面視で略矩形状を呈し、その周囲が４面の浴室壁面１１（図１では１面のみ示す）により覆われている。また、浴室１には、浴槽２及び洗い場３が互いに隣接して設けられている。前記浴槽２は、その上縁より外側に張り出す水切り２１によって平面視で略長方形状に形成されている。この場合、浴槽２は、洗い場３に対し長尺な水切り２１側の面が隣接している。
【００１８】
前記浴室１は、前記浴槽２の水切り２１と前記洗い場３の床パン３１との間を塞ぐ樹脂製（例えばＡＢＳ樹脂など）のエプロン４を備えている。前記床パン３１の浴槽２側端には、上方へ起立する起立部位３２が一体的に設けられている。そして、前記エプロン４は、浴槽２の長尺な水切り２１の両端側において短尺な水切り２１に沿って延びる２枚の浴室壁面１１（図１では一方のみ示す）の間に亘って浴槽２の洗い場３側面を遮蔽するものであり、洗い場３側からの水の浸入を防いでいる。また、前記エプロン４は、上部４Ａが浴槽２の水切り２１の外方端と略一致し、下部４Ｂが上部４Ａよりも浴槽２側に凹んで段差状に形成されている。
【００１９】
図２はエプロン４を洗い場３側から見た正面図、図３はエプロン４を浴槽２側から見た背面図、図４は点検口蓋４２及びカバー部材４３を取り付けた状態でエプロン４を洗い場３側から見た正面図である。図２ないし図４に示すように、前記エプロン４の下部４Ｂには、その左右両位置において内部の配管等の保守点検を行うための横長トラック形状の点検口４１，４１（図２及び図３に表れる）と、この点検口４１，４１をそれぞれ脱着自在に個別に塞ぐ点検口蓋４２，４２（図４に表れる）とが設けられている。前記各点検口蓋４２の点検口４１に対する脱着は、それぞれ洗い場３側から行われる。また、図４に示すように、前記エプロン４の下部４Ｂの中央位置には、点検口４１，４１をそれぞれ点検口蓋４２，４２により塞いだ状態で脱着自在に装着されるカバー部材４３が設けられている。
【００２０】
図５は左側の点検口蓋付近で切断したエプロンの縦断側面図である。左右の点検口蓋４２，４２は、カバー部材４３の中心を通る鉛直線（図示せず）に対し左右対称形状となるので、左側の点検口蓋４２についてのみ説明する。図５に示すように、前記点検口４１の周縁は、前記点検口蓋４２側へ突出する突起部材としてのエプロン側突起部材４１１によって底部（下部４Ｂ）より点検口蓋４２側へ張り出している。このエプロン側突起部材４１１は、点検口４１の周縁の周方向全域に亘って一体的に設けられ、その先端に点検口４１の内側向きに折曲する折曲部４１２が設けられている。
【００２１】
前記点検口蓋４２は、略矩形平板状の蓋本体４２１と、この蓋本体４２１の周縁より浴槽２側に張り出す張り出し部４２２とによって、断面略コ字状に形成されている。この点検口蓋４２の裏面（浴槽２側面）の周縁には、前記点検口４１よりも内側において浴槽２側（点検口４１側）に突出する突起部材としての蓋側突起部材４２３が周方向全域に亘って一体的に設けられている。また、前記蓋側突起部材４２３は、エプロン側突起部材４１１に対し内外方向に所定範囲（例えば４．６〜７．６ｍｍ）の隙間を存して当該エプロン側突起部材４１１の内側に位置している。
【００２２】
図６は左側の点検口蓋４２を浴槽２側から見た背面図である。この図６に示すように、前記蓋側突起部材４２３は、横長トラック形状に形成されている。また、前記蓋側突起部材４２３は、上下方向及び左右方向にそれぞれ間隔をあけて２条ずつ延びる縦リブ４２４及び横リブ４２５によって補強されている。
【００２３】
図７は点検口蓋４２により塞いだ状態での左側の点検口付近の縦断側面図であり、図８は点検口蓋４２を外した状態での左側の点検口付近の縦断側面図である。図７及び図８に示すように、前記エプロン側突起部材４１１には、ＥＰＤＭ（エチレン−プロピレン−ジエン三元共重合体）スポンジ等よりなる水密材４４が全周に亘って取り付けられている。この水密材４４は、押し出しにより成形され、エプロン側突起部材４１１に対し内外両方向（図８では上下方向）から挟んで嵌着される二股状の嵌着部４４１を備えている。そして、嵌着部４４１は、内側片４４１ａと外側片４４１ｂとを有している。この両片４４１ａ，４４１ｂ間の股部４４１ｃには内側片４４１ａ側へ凹む凹溝４４２が設けられ、この凹溝４４２を前記エプロン側突起部材４１１先端の折曲部４１２に嵌合させて、エプロン側突起部材４１１からの嵌着部４４１の抜け落ちを規制している。この場合、水密材４４は、エプロン側突起部材４１１の先端に塗布された接着材（図示せず）によって、嵌着部４４１の股部４４１ｃが接着されている。
【００２４】
また、前記水密材４４は、前記点検口蓋４２により点検口４１を塞いだ際に両突起部材４１１，４２３の間で弾性変形して蓋側突起部材４２３に対し圧接する圧接部分４４３を備えている。この圧接部分４４３は、嵌着部４４１の内側片４４１ａの先部側（図８では右側）より内方（蓋側突起部材４２３側）に一体的に膨出し、断面中空状に形成されている。
【００２５】
更に、前記圧接部分４４３には、点検口蓋４２により点検口４１を塞ぐ際に当該圧接部分４４３を歪な形状に変形させることなく前記蓋側突起部材４２３を滑らせて案内する傾斜面４４４が形成されている。この場合、点検口蓋４２により点検口４１を塞いだ状態での点検口４１への水の浸入経路は、上流側から順に、点検口蓋４２の張り出し部４２２の先端（図７では右端）と点検口４１の周縁の底部との間の第１経路４５１と、嵌着部４４１の外側片４４１ｂの背面側（反エプロン側突起部材４１１側）と点検口蓋４２の張り出し部４２２の裏面との間の第２経路４５２と、嵌着部４４１の股部４４１ｃの背面側と点検口蓋４２の蓋本体４２１の裏面との間の第３経路４５３と、嵌着部４４１の内側片４４１ａの背面側と蓋側突起部材４２３の外側面との間の第４経路４５４とにより構成される。
【００２６】
そして、前記圧接部分４４３よりも水の浸入経路上流側となる第３経路４５３に対応する前記嵌着部４４１の股部４４１ｃの背面側（図７では左側）には、第１経路４５１〜第４経路４５４を経て前記圧接部分４４３に対して作用する水の勢いを緩和させる緩和部材としてのヒレ部４４６が一体的に設けられている。このヒレ部４４６は、嵌着部４４１の股部４４１ｃの背面側より点検口蓋４２の蓋本体４２１の裏面側に向かって突出し、その突出方向が第１及び第２経路４５１，４５２を経て浸入する水の浸入方向に向くように傾斜している。そして、点検口蓋４２により点検口４１を塞いだ際に、ヒレ部４４６の先端が第３経路４５３において点検口蓋４２の蓋本体４２１の裏面に接することで、点検口蓋４２のそれ以上浴槽２側（図７では右側）への移動が規制される上、第３経路４５３を介して侵入しようとする水の浸入が阻止される。
【００２７】
また、図５及び図６に示すように、前記点検口蓋４２には、前記点検口４１を塞ぐ際に点検口蓋４２の一側縁（図６では右側縁）を取り外し方向（洗い場３側）へ移動不能に係止する係止手段４６が設けられている。
【００２８】
図９は左側の点検口蓋４２の左端付近を上端部寄りで切断したエプロン４の横断平面図であり、図１０は左側の点検口蓋４２の左端付近を上下のほぼ中央部寄りで切断したエプロン４の横断平面図である。図９及び図１０に示すように、前記係止手段４６は、前記蓋側突起部材４２３の先端上下両位置よりそれぞれ延びて、前記エプロン側突起部材４１１の基端となる点検口４１の周縁の底部（下部４Ｂ）に対し裏面側（浴槽２側）から係止される上下一対の係止部４６１，４６１を備えている。この各係止部４６１は、上下の横リブ４２５，４２５と一体的に成形され、前記各係止部４６の裏面側（浴槽２側）を当該各係止部４６１と同様に延びる各横リブ４２５によって補強されている。
【００２９】
図１１は左側の点検口蓋４２を洗い場３側から見た斜視図であり、図１２は左側の点検口蓋４２の他側端付近で切断したエプロンの斜視図である。図１１に示すように、前記点検口蓋４２の張り出し部４２２の他側縁（図１１では右側縁）より蓋本体４２１と平行にカバー部材４３側（図１１では右側）に突出する略矩形板状の突出片４７が一体的に設けられている。この突出片４７には、その上下両端よりそれぞれ洗い場３側（図１１では紙面手前側）に突出し、かつそれぞれの先端より互いに離反する向き（上下方向外方向きに）に膨出する爪部４７１を有する第１係合片４７２，４７２が設けられている。また、突出片４７の突出端の中央位置には、洗い場３側に突出し、かつ先端より一側（点検口蓋４２側）に膨出する爪部４７３を有する第２係合片４７４が設けられている。更に、突出片４７の上下両位置には、エプロン４の下部４Ｂのビス孔４Ｂ１，４Ｂ１（図２に表れる）に対応するビス孔４７５，４７５が設けられている。そして、図１２に示すように、各ビス孔４Ｂ１，４７５には、ビス４８が螺着される。
【００３０】
ここで、前記点検口４１を前記点検口蓋４２により塞ぐ手順について説明する。
先ず、点検口蓋４２の一側縁上下の係止部４６を点検口４１から浴槽２側に差し入れて、各係止部４６を点検口４１の周縁の底部に対し裏面側（浴槽２側）から係止する。このとき、点検口蓋４２は、一側縁が各係止部４６により点検口４１の一側縁に係止されて洗い場３側への移動が規制されているものの、他側縁が点検口４１の他側縁から洗い場３側へ離反して斜め状態となっている。
【００３１】
次いで、各係止部４６を支点にして点検口蓋４２の他側縁を点検口４１の他側縁に近接させると、蓋側突起部材４２３が水密材４４の圧接部分４４３の傾斜面４４４を滑って案内され、点検口４１が点検口蓋４２により塞がれる。これにより、水密材４４の圧接部分４４３が、エプロン側突起部材４１１と蓋側突起部材４２３との間で弾性変形して蓋側突起部材４２３に対し圧接される。
それから、点検口蓋４２の他側縁の突出片４７の各ビス孔４７５にビス４８を差し込んでエプロン４の下部４Ｂに螺着する。なお、右側の点検口蓋４２についても同様の手順で点検口４１が塞がれる。
【００３２】
図１３はカバー部材４３を浴槽２側から見た斜視図である。この図１３に示すように、カバー部材４３は、略矩形平板状のカバー本体４３１と、このカバー本体４３１の周縁より浴槽２側に張り出す張り出し部４３２とによって、断面略コ字状に形成されている。このカバー部材４３の張り出し部４３２の上下の長辺側の左右両端には、カバー部材４３をエプロン４の下部４Ｂに取り付けたときに前記第１係合片４７２の上下の爪部４７１にそれぞれ係合する係合爪４３３，４３３（図１３では２箇所のみ表れる）が設けられている。また、カバー本体４３１のカバー本体４３１の裏面の左右両端には、カバー部材４３をエプロン４の下部４Ｂに取り付けたときに前記第２係合片４７４の左右の爪部４７３それぞれ係合するように互いに向き合う方向に膨出する係合爪４３４，４３４を突出端に有する係合片４３５，４３５が突設されている。そして、カバー部材４３は、左右の点検口蓋４２,４２をそれぞれエプロン４の下部４Ｂに取り付けた状態で、両点検口蓋４２の突出片４７の各係合片４７２，４７４に係合されて取り付けられる。この場合、図４に示すように、左右の点検口蓋４２及びカバー部材４３は、エプロン４の下部４Ｂに取り付けられてそれぞれの洗い場３側面がほぼ面一状となる上、左右の点検口蓋４２とカバー部材４３との間の２本の縦線のみが洗い場３側に表れる。
【００３３】
したがって、本実施の形態では、水密材４４は、点検口４１の周縁より点検口蓋４２側へ突出するエプロン側突起部材４１１に設けられ、点検口蓋４２により点検口４１を塞いだ際にエプロン側突起部材４１１と蓋側突起部材４２３との間で圧接部分４４３が弾性変形して蓋側突起部材４２３に対し圧接されるので、水密材４４の圧接部分４４３が点検口４１の周囲から離間し、この圧接部分４４３が点検口４１の周囲を伝う水に常に晒されることがない。このため、水密材４４の圧接部分４４３が傷み難いものとなり、圧接部分４４３の耐久性を向上させることができる。
しかも、点検口蓋４２により点検口４１を塞いだ際にエプロン側突起部材４１１と蓋側突起部材４２３との間で圧接部分４４３が圧接されることから、圧接部分４４３を圧接する上で係止片やビスに依存する必要がない。これにより、係止片や多数のビスが不要となって部品点数が削減され、点検口蓋４２の脱着時間の短縮化を図ることができる。
【００３４】
また、圧接部分４４３がＥＰＤＭスポンジにより断面中空状に形成されているので、圧接部分４４３は、点検口蓋４２により点検口４１を塞いだ際に両突起部材４１１，４２３の間で弾性変形し易いものとなり、両突起部材４１１，４２３の間での水密性を向上させることができる。
【００３５】
また、点検口蓋４２により点検口４１を塞ぐ際に蓋側突起部材４２３を滑らせて案内する傾斜面４４４が圧接部分４４３に形成されているので、点検口蓋４２により点検口４１を塞ぐ際に蓋側突起部材４２３との圧接などにより圧接部分４４３の形状が蓋側突起部材４２３との間で歪な形状に変形してしまうことがない。これにより、両突起部材４１１，４２３の間での圧接部分４４３による水密性を円滑に向上させることができる。
【００３６】
また、圧接部分４４３よりも水の浸入経路上流側となる第３経路４５３に対応する嵌着部４４１の股部４４１ｃの背面側に、第１経路４５１ないし第４経路４５４を経て圧接部分４４３に作用する水の勢いを緩和させるヒレ部４４６が設けられているので、ヒレ部４４６により水の勢いが緩和された状態で圧接部分４４３によって点検口４１への水の浸入が阻止される。これにより、圧接部分４４３が水に晒されることが大幅に軽減されて水密材４４の耐久性をさらに向上させることができる上、圧接部分４４３による水密性をより向上させることができる。
【００３７】
しかも、点検口蓋４２により点検口４１を塞いだ際に、ヒレ部４４６の先端が第３経路４５３において点検口蓋４２の蓋本体４２１の裏面に接していると、点検口蓋４２のそれ以上浴槽２側への移動を規制して左右の点検口蓋４２の表面側での面一性を図ることができる。また、ヒレ部４４６は、嵌着部４４１の股部４４１ｃの背面側より点検口蓋４２の蓋本体４２１の裏面側に向かう突出方向が第１及び第２経路４５１，４５２を経て浸入する水の浸入方向に向くように傾斜しているので、ヒレ部４４６の先端が第３経路４５３において点検口蓋４２の蓋本体４２１の裏面に接していれば、第３経路４５３を介して侵入しようとする水の浸入がヒレ部４４６で効果的に阻止され、圧接部分４４３による水密性をさらに向上させることができる。
【００３８】
また、点検口蓋４２には、蓋側突起部材４２３の先端上下両位置よりそれぞれ延びて点検口４１の周縁の底部（下部４Ｂ）に対し裏面側から係止する上下一対の係止部４６１，４６１が設けられているので、点検口４１を塞ぐ際に点検口蓋４２の一側縁上下の係止部４６を点検口４１から浴槽２側に差し入れて、各係止部４６を点検口４１の周縁の底部に対し裏面側（浴槽２側）から係止すれば、点検口蓋４２の一側縁が取り外し方向へ移動不能に係止される。このため、点検口蓋４２の一側縁をビスによって固定する必要がなく、点検口蓋４２の他側縁のみを上下２本のビス４８によって点検口４１の他側縁（エプロン４の下部４Ｂ）に固定すればよい。これにより、点検口蓋４２を固定するビス４８が２本で済み、部品点数をさらに削減して点検口蓋４２の脱着に要する時間をより短縮することができる。
【００３９】
更に、左右の点検口蓋４２の他側縁を点検口４１の他側縁に固定したビス４８を点検口蓋の装着方向から遮蔽するカバー部材４３がエプロン４の下部4Ｂの中央位置に取り付けられているので、左右の点検口蓋４２の他側縁のビス４８がカバー部材４３のみによって遮蔽され、最小限のカバー部材４３によってエプロン４の意匠性を図ることができる。しかも、左右の点検口蓋４２及びカバー部材４３が、エプロン４の下部４Ｂに取り付けられてそれぞれの洗い場３側面がほぼ面一状となる上、左右の点検口蓋４２とカバー部材４３との間の２本の縦線のみが洗い場３側に表れるので、エプロン４の上部４Ａよりも浴槽２側に凹ませて見え難くした下部４Ｂの構造と相俟ってエプロン４の意匠性を飛躍的に向上させることができる。
【００４０】
なお、本発明は、前記実施の形態に限定されるものではなく、その他種々の変形例を包含している。例えば、前記実施の形態では、点検口４１をエプロン４の下部４Ｂの左右にそれぞれ設けたが、単一の点検口又は３つ以上の点検口を備えたエプロンにも適用できるのはいうまでもない。
【００４１】
また、前記実施の形態では、水密材４４をＥＰＤＭスポンジにより成形したが、密材はこれに限らず、ウレタンスポンジ、天然ゴムスポンジ、ＳＢＲスポンジ、ＣＲスポンジ、又は、ＮＢＲスポンジなどにより成形されていてもよい。また、圧接部分は必ずしも断面中空状に形成しなくてもよく、圧縮変形が容易な材質であれば、中実であってもよい。
【符号の説明】
【００４２】
１        浴室
２        浴槽
３        洗い場
４        エプロン
４１      点検口
４１１    エプロン側突起部材（突起部材）
４２      点検口蓋
４２３    蓋側突起部材（突起部材）
４３      カバー部材
４４      水密材
４４３    圧接部分
４４４    傾斜面
４４６    ヒレ部（緩和部）
４５３    第３経路（浸入経路）
４６      係止手段
４８      ビス
【図１】
2012223319.tif 000003
【図２】
2012223319.tif 000004
【図３】
2012223319.tif 000005
【図４】
2012223319.tif 000006
【図５】
2012223319.tif 000007
【図６】
2012223319.tif 000008
【図７】
2012223319.tif 000009
【図８】
2012223319.tif 000010
【図９】
2012223319.tif 000011
【図１０】
2012223319.tif 000012
【図１１】
2012223319.tif 000013
【図１２】
2012223319.tif 000014
【図１３】
2012223319.tif 000015